(57)【要約】【課題】信頼性の高い直流電源装置を提供する。【解決手段】交流電力を入力し、交流電力を直流電力に変換して、直流電力を出力するＡＣ／ＤＣコンバータ（１）と、直流電力を入力し、入力された直流電力を、出力電圧の大きさが負荷（５）で使用される電圧の大きさになるように制御しながら、負荷（５）に供給するＤＣ／ＤＣコンバータ（２）と、ＤＣ／ＤＣコンバータ（２）の入力に接続されるＤＣコンバータ（３）と、ＤＣコンバータ（３）を介してＤＣ／ＤＣコンバータ（２）に電力を供給する直流電力蓄積手段（４）と、を備える。【選択図】　図１
2004064996.tif 000002
【特許請求の範囲】
【請求項１】
入力された交流電圧を直流電圧に変換して、出力端子に前記直流電圧を出力するＡＣ／ＤＣコンバータと、
入力端子が前記ＡＣ／ＤＣコンバータの出力端子に接続され、入力された直流電圧を、負荷が使用する電圧値になるように制御して負荷に供給するＤＣ／ＤＣコンバータと、
前記ＡＣ／ＤＣコンバータの出力端子及び前記ＤＣ／ＤＣコンバータの入力端子に接続され双方向に電力を伝送するＤＣコンバータと、を有することを特徴とする電源装置。
【発明の詳細な説明】
【０００１】
【発明の属する技術分野】
本発明は交流入力を直流電力に変換し負荷に供給する電源装置に関し、特に無停電機能を持った電源装置に関する。
【０００２】
【従来の技術】
ディスクアレイ装置のような通信・情報機器では、商用の交流入力を受電して、ＡＣ／ＤＣコンバータで機器内負荷に要求される所望直流電圧に変換して、供給する。機器内電源の信頼性向上のため、ＡＣ／ＤＣコンバータが並列冗長運転される。又、商用の交流に対する信頼性向上のため、ＡＣ／ＤＣコンバータの入力を２系統の交流から得る。更に、商用の交流入力に対する高信頼化を実現するため、無停電電源装置（以下ＵＰＳという）を外付けした電源構成が採られる。接続されるＵＰＳの主回路は、ＡＣ／ＤＣコンバータ，バッテリー，インバータと切替ＳＷで構成され、通常時はＡＣ／ＤＣコンバータにてバッテリーを充電しながらインバータに直流電力を供給し、インバータにより安定した交流電力に変換して、通信・情報機器に供給する。交流入力の停電時には、バッテリーの直流電力をインバータにより交流電力に変換して供給し、ＵＰＳ内部の機器異常が発生した場合には、バイパスに切り替えて交流入力を直接に通信・情報機器に供給する。なお、上記従来技術の具体例としては、特開平７−１９４１１８　号公報に記載の電源装置がある。
【０００３】
【発明が解決しようとする課題】
従来の電源構成では、通常動作時においてＵＰＳ内部の電力変換が２段、更に通信・情報機器側で交流電力を直流電力に変換するコンバータがあり、３段の電力変換を要しており、変換効率を悪くしている。更に、重複した機能のコンバータを多段接続して構成しているので、電源装置の容積が大きく、コストも高くなる。また、通信・情報機器の多様化にともなって電源装置はワイドレンジの入力対応が多く、ユーザー側において入力電圧を意識せず機器が選択できるが、外付けＵＰＳを接続する場合は、入出力電圧仕様が固定であるため、ユーザー環境に適した入力電圧仕様の物を選択しなければならないと言う問題がある。
【０００４】
【課題を解決するための手段】
本発明は上記の課題を考慮してためされたものであり、本発明による電源装置は、交流電力を入力し、交流電力を直流電力に変換して、直流電力を出力する
ＡＣ／ＤＣコンバータと、直流電力を入力し、入力された直流電力を、出力電圧の大きさが負荷で使用される電圧の大きさになるように制御しながら負荷に供給するＤＣ／ＤＣコンバータと、ＤＣ／ＤＣコンバータの入力に接続されるＤＣコンバータと、ＤＣコンバータを介してＤＣ／ＤＣコンバータに電力を供給する直流電力蓄積手段と、を有する。
【０００５】
本発明によれば、無停電機能を有する高信頼の直流電源装置を実現できる。
【０００６】
好ましくは、ＤＣコンバータは、直流電力蓄積手段から入力される電力を、出力電圧が直流電力蓄積手段の電圧よりも昇圧されるように制御しながら、ＤＣ／ＤＣコンバータの入力へ出力する。このような、ＤＣコンバータの好ましい構成は、交流端子と、ＤＣ／ＤＣコンバータの入力に接続される直流端子とを有する第１のコンバータと、第１のコンバータの交流端子に接続される高電圧側巻き線と、低電圧側巻き線とを有する変圧器と、低電圧側巻き線に接続される交流端子と、直流電力蓄積手段に接続される直流端子とを有する第２のコンバータと、を備える構成である。このような構成によれば、直流電力蓄積手段の電圧の大きさとＡＣ／ＤＣコンバータの出力電圧すなわちＤＣ／ＤＣコンバータの入力電圧の大きさとが異なる場合でも、直流電力蓄積手段の充電及び放電が可能になる。
【０００７】
【発明の実施の形態】
図１は、本発明の第１の実施例である電源装置である。本電源装置は、入力した交流電力を直流電力に変換するＡＣ／ＤＣコンバータ１，バッテリー４，バッテリー４の直流電力をＡＣ／ＤＣコンバータ１の直流出力電圧と同程度の直流電圧に変換するＤＣコンバータ３，ＡＣ／ＤＣコンバータ１或はＤＣコンバータ３の直流出力電力を負荷５に要求される直流電圧に変換するＤＣ／ＤＣコンバータ２を備える。ＡＣ／ＤＣコンバータ１としては、ダイオードブリッジ整流回路，図９のような半導体スイッチング素子を有するブリッジコンバータ及び位相整流回路などが適用できる。また、ＤＣ／ＤＣコンバータ２としては、図１０に示す１石フォワードコンバータなどが適用できる。ＡＣ／ＤＣコンバータ１とＤＣコンバータ３からＤＣ／ＤＣコンバータ２に直流電力を供給することにより、交流入力の事故時にもＤＣ／ＤＣコンバータ２から負荷５に安定した電力を供給できる。なお、ＤＣコンバータ３の主回路は、バッテリー４の比較的低い直流電圧　（例えば４０〜５０Ｖ程度）を、バッテリー４の直流電圧よりも高いＡＣ／ＤＣコンバータ１の直流出力電圧の大きさ（例えば３００〜４００Ｖ程度）まで昇圧するためや、アース電位の分離及び利用率向上等のために、コンバータ３２ａ，変圧器３２ｃとコンバータ３２ｂで構成する。すなわち、ＤＣコンバータ３においては、コンバータ３２ｂの直流端子にバッテリー４が接続され、コンバータ
３２ｂの交流端子が変圧器３２ｃの低電圧側巻き線に接続される。さらに、変圧器３２ｃの高電圧側巻き線がコンバータ３２ａの交流端子に接続され、コンバータ３２ａの直流端子が、ＡＣ／ＤＣコンバータ１の直流出力及びＤＣ／ＤＣコンバータ２の直流入力に接続される。コンバータ３２ａ，３２ｂには、図９に示すようなブリッジコンバータ等が適用できる。
【０００８】
通常時において、ＡＣ／ＤＣコンバータ１は商用１００Ｖ，２００Ｖのような交流電力を入力し、入力された交流電力を直流電力に変換して出力する。ＡＣ／ＤＣコンバータ１から出力される直流電圧は、交流入力電圧の実効値よりも高い（例えば３００〜４００Ｖ）。ＡＣ／ＤＣコンバータ１からの直流出力電力は、ＤＣ／ＤＣコンバータ２に入力される。ＤＣ／ＤＣコンバータ２は、入力された直流電力を、出力直流電圧の大きさが負荷５が使用する電圧値になるように制御しながら、負荷５に供給する。また、ＡＣ／ＤＣコンバータ１の直流出力電力はコンバータ３２ａの直流端子に入力される。コンバータ３２ａは、ＤＣ／ＡＣコンバータすなわちインバータとして動作し、入力された直流電力を半導体スイッチング素子のオン・オフにより交流電力に変換し、交流電力を変圧器３２ｃの高電圧側巻き線に出力する。変圧器３２ｃは、入力された交流電力を、高電圧側巻き線に印加された交流電圧を降圧して、低電圧側巻き線に出力する。低電圧側巻き線に出力される交流電力はコンバータ３２ｂの交流端子に入力される。コンバータ３２ｂは、ＡＣ／ＤＣコンバータとして動作し、入力された交流電力をダイオード整流及び半導体スイッチング素子のオン・オフにより直流電力に変換し直流端子から出力する。コンバータ３２ｂから出力された直流電力が、バッテリー４に充電され貯蔵される。すなわち、ＤＣコンバータ３は、ＡＣ／ＤＣコンバータ１から直流電力を入力し、ＤＣコンバータ３の出力電圧がＡＣ／ＤＣコンバータ１の出力側の電圧よりも降圧されるように制御しながら、ＡＣ／ＤＣコンバータ１からの直流入力電力を出力し、出力直流電力によりバッテリー４を充電して、バッテリー４に直流電力を蓄積する。
【０００９】
一方、停電などによりＡＣ／ＤＣコンバータ１が負荷の消費電力を十分あるいはまったく供給できない場合には、バッテリー４からコンバータ３２ｂの直流端子に直流電力を入力する。コンバータ３２ｂは、ＤＣ／ＡＣコンバータすなわちインバータとして動作し、入力された直流電力を半導体スイッチング素子のオン・オフにより交流電力に変換して、交流電力を変圧器３２ｃの低電圧側巻き線に出力する。変圧器３２ｃは、入力された直流電力を、低電圧側巻き線に印加される交流電圧を昇圧して、高電圧側巻き線に出力する。高電圧側巻き線に出力される交流電力はコンバータ３２ａの交流端子に入力される。コンバータ３２ａは、ＡＣ／ＤＣコンバータとして動作し、交流入力電力をダイオード整流及び半導体スイッチング素子のオン・オフにより直流電力に変換して直流端子から出力する。ＤＣ／ＤＣコンバータ２は、コンバータ３２ａからの直流出力電力を入力し、入力された直流電力を、直流出力電圧の大きさを負荷５で使用される電圧値に制御しながら、負荷５に出力する。すなわち、ＤＣコンバータ３は、ＤＣコンバータ３の直流出力電圧がバッテリー４の直流電圧より昇圧されるように制御しながら、バッテリー４の放電する直流電力をＤＣ／ＤＣコンバータ２の入力へ出力する。
【００１０】
上記のように、図１の実施例によれば、ＤＣ／ＤＣコンバータ２の入力の直流電圧をＤＣコンバータ３によりバックアップする直流の無停電電源システムとすることができるので信頼性を向上でき、重複した機能の電力変換部を持たないので小型，低コスト化や変換効率の向上が実現できる。また、ＤＣコンバータ３は、半導体スイッチング素子を備えるコンバータ３２ａ及び３２ｂと変圧器３２ｃを備えているので、バッテリー４の電圧の大きさとＡＣ／ＤＣコンバータ１の出力電圧すなわちＤＣ／ＤＣコンバータ２の入力電圧の大きさとが大幅に異なる場合でも、バッテリー４の充電及び放電が可能になり、かつ少ない電力損失で、バッテリーの電圧値とＡＣ／ＤＣコンバータ１の出力電圧値との間の電圧値の変換が可能になる。従って、本実施例によれば、信頼性が高くかつ低損失の電源装置を実現できる。なお、本実施例におけるバッテリー４の代わりに、各種の二次電池及び一次電池，並びにコンデンサや電気二重層など、種々の直流電力蓄積手段を適用することができる。
【００１１】
図２は、本発明の第２の実施例である電源装置を示す。本電源装置において、図１の実施例と異なる点は、交流入力に接続され、交流入力から入力された交流電力を直流電力に変換する充電器６を備え、充電器６により交流入力から得られる直流電力によりバッテリー４が充電される点である。このため、ＤＣコンバータ３によるバッテリー４の充電機能は不要である。従って、ＤＣコンバータ３は、通常時においては動作せず、停電時に図１の実施例と同様に動作する。図２の実施例によれば、ＤＣコンバータ３の電力変換を一方向とした単機能とすることができるので更に信頼性を向上でき、小型，低コスト化や変換効率の向上も実現できる。なお、充電器６としては、図９に示す回路やダイオードブリッジ整流器などが適用できる。また、ＤＣコンバータ３のバッテリー充電器機能が不要なので、コンバータ３２ａを簡単なダイオード整流器としてもよく、この場合は回路が簡単化される。
【００１２】
図３は、図２の実施例のさらに詳細な構成を示す。ＡＣ／ＤＣコンバータ１は、制御回路１１，停電検出信号回路１１ａと力率改善機能を有す主回路１２で構成され、商用の交流入力を受電し、直流電力を出力する。制御回路１１は、動作指令であるＯＮ／ＯＦＦ信号（オン・オフ信号）に応じて主回路１２例えば図９の回路の半導体スイッチング素子をオン・オフ駆動し、ＡＣ／ＤＣコンバータ１の出力を所定の直流電圧に制御することは勿論であるが、力率改善機能を持ち交流入力の高調波電流の抑制制御も行う。停電検出信号回路１１ａは、交流入力を監視して事故等を検出する機能を備え、停電検出時には停電検出信号を形成してＤＣコンバータ３に印加する。すなわち、停電検出回路１１ａは、交流入力電圧の大きさを参照電圧と比較し、参照電圧より交流入力電圧がちいさくなったときに停電検出信号をＤＣコンバータ３へ送出する。ＤＣ／ＤＣコンバータ２は、制御回路２１と主回路２２で構成される。制御回路２１は、動作指令のＯＮ／ＯＦＦ信号に応じて主回路２２（例えば図１０の回路）の半導体スイッチング素子をオン・オフ駆動し、主回路２２は、ＡＣ／ＤＣコンバータ１やＤＣコンバータ３から供給された直流電力を負荷５が要求する直流電力に変換して、負荷５に供給する。ＤＣコンバータ３は、制御回路３１，主回路３２と動作信号形成回路３３で構成される。動作信号形成回路３３は、停電検出信号と動作指令を入力し、停電検出回路１１ａから停電検出信号を受けた時に入力した動作指令を制御回路３１へ送出し、停電検出信号が入力されない通常時は動作指令を送出しない。本実施例では、動作信号形成回路３３において、ＡＮＤ回路を用いている。通常時、　ＡＮＤ回路への停電検出信号入力はｈｉｇｈレベル（１）であるから、ＡＮＤ回路の出力は、動作指令がＯＮ（１，ｈｉｇｈレベル）の場合にはｈｉｇｈレベル（１）すなわちＯＮとなり、動作指令がＯＦＦ（０，ｌｏｗ　レベル）の場合にはｌｏｗ　レベル（０）すなわちＯＦＦとなる。すなわち、動作信号形成回路３３の出力は、動作指令のＯＮ／ＯＦＦ信号と同様のＯＮ／ＯＦＦ信号となる。また、停電時、停電検出信号はｌｏｗ　レベル（０）となるので、ＡＮＤ回路の出力は動作指令のＯＮ／ＯＦＦ信号のいずれに対してもｌｏｗ　レベル（０）となり、ＡＮＤ回路から動作指令信号に対応した信号が出力されない。交流入力が停電して停電検出信号が印加されると、制御回路３１は動作信号形成回路３３が送出するＯＮ／ＯＦＦ信号を入力して、主回路３２の半導体スイッチング素子をオン・オフ駆動する。これにより、主回路３２はバッテリー４の直流電力をＡＣ／ＤＣコンバータ１の出力電圧と同程度の直流電圧に変換してＤＣ／ＤＣコンバータ２に供給する。充電器６は、制御回路６１と主回路６２で構成される。制御回路６１は、動作指令のＯＮ／ＯＦＦ信号を入力して主回路６２の半導体スイッチング素子をオン・オフ駆動する。これにより、主回路６２は、交流入力を直流電力に変換し、とバッテリーの充電状態に応じた電圧または電流によりバッテリー４を充電する。図３の電源装置によれば、ＤＣ／ＤＣコンバータ２の入力の直流電圧をＤＣコンバータ３によりバックアップした直流無停電電源装置とすることができるので信頼性を向上でき、また重複した機能の電力変換部を持たないので小型，低コスト化や変換効率の向上を図れる電源装置を実現できる。
【００１３】
図４に本発明の第３の実施例である電源装置を示す。図４において、図３と同一記号を付けたコンバータ等の回路構成要素は、図２や図３に示した実施例と同様の回路構成要素を示す。図４の実施例は、ＡＣ／ＤＣコンバータ１，ＤＣ／
ＤＣコンバータ２、及びＤＣコンバータ３において、それぞれ複数の単位のＡＣ／ＤＣコンバータ，複数の単位のＤＣ／ＤＣコンバータ、及び複数の単位のＤＣコンバータが並列接続される。単位のＡＣ／ＤＣコンバータ，単位のＤＣ／ＤＣコンバータと単位のＤＣコンバータは、１ケースに回路が内蔵されたり１基板上に回路が搭載されるモジュール単位あるいは半導体集積回路で構成し、負荷容量，用途に合わせ、並列接続数を設定する。回路動作は、図３の実施例と同様である。また、単位のＤＣコンバータの各回路構成要素もモジュール単位で構成し、負荷容量や用途に合わせて並列接続数を設定する。図４のように、各々の回路構成要素毎に並列多重化した構成では、いずれかの単位の回路構成要素が故障した時にも負荷５に安定に電力を供給できる。また単位の回路構成要素の保守交換時にも、電源装置を停止させることなく交換作業が可能である。図４の実施例によれば、ＤＣ／ＤＣコンバータ２の入力の直流電圧をＤＣコンバータ３によりバックアップした直流無停電電源装置とすることができ、しかも回路構成要素の多重化で一層信頼性を向上し、しかも必要容量，用途に合わせ回路構成要素の並列接続数を変えることにより簡単に電力容量を変えることができる電源装置を実現できる。
【００１４】
図５は本発明の第４の実施例である電源装置を示す。図２や図３に示した実施例の構成よりなる電源ユニットを並列多重化した電源構成である。なお、ＤＣ／ＤＣコンバータ２は、並列動作を可能とする機能を有するものとする。図５のように多重化した構成では、いずれかの電源ユニットが故障した時にも負荷５に安定に電力を供給でき、また電源ユニットの保守交換時にも、電源装置を停止させることなく交換作業が可能である。また、電源ユニット毎に充電器及びバッテリーを備えているので、一部の充電器あるいは一部のバッテリーが故障しても、負荷への電力供給を継続することができる。従って、充電器及びバッテリーの故障に対する信頼性も向上する。更に、各電源ユニットの充電器６とバッテリー４を共通化して、１台のバッテリーから各電源ユニットのＤＣコンバータ３に共通に直流電力を供給することも可能である。
【００１５】
図６に本発明の第５の実施例である電源装置を示す。図６において、図３と同一記号を付けたコンバータ等の回路構成要素は、図２や図３に示した実施例と同様の回路構成要素を示す。図６の実施例では、図２や図３の実施例と異なり、ＡＣ／ＤＣコンバータ１の直流出力に、ＤＣ／ＤＣコンバータ７の直流入力が接続され、さらにＤＣ／ＤＣコンバータ７の直流出力にＤＣ／ＤＣコンバータ８の直流入力が接続される。ＤＣ／ＤＣコンバータ８は単位のＤＣ／ＤＣコンバータが複数並列接続されて多重化されたものである。各単位のＤＣ／ＤＣコンバータは共通した直流入力と共通した直流出力を有し、共通した直流出力が負荷に接続され、上記のように共通した直流入力がＤＣ／ＤＣコンバータ７の出力に接続される。また、ＤＣコンバータ３の直流端子は、ＤＣ／ＤＣコンバータ７の直流出力及びＤＣ／ＤＣコンバータ８の共通した直流入力に接続される。
【００１６】
図６において、ＡＣ／ＤＣコンバータ１は交流入力から交流電力を入力し、入力された交流電力を、出力電圧の大きさを第１の直流電圧に制御しながら、直流電力に変換して、ＤＣ／ＤＣコンバータ７に供給する。ＤＣ／ＤＣコンバータ７は、入力された第１の直流電力を、ＤＣ／ＤＣコンバータ７の直流出力電圧を第１の直流電圧より電圧の低い第２の直流電圧に制御しながら、ＤＣ／ＤＣコンバータ８に出力して供給する。ＤＣコンバータ３は、バッテリーに蓄積された直流電力を、ＤＣコンバータ３の出力電圧を第２の直流電圧程度の電圧に制御しながら、ＤＣ／ＤＣコンバータ７の出力側に出力して供給する。ＤＣ／ＤＣコンバータ８は、ＤＣ／ＤＣコンバータ７やＤＣコンバータ３から供給された直流電力を、ＤＣ／ＤＣコンバータ８の直流出力電圧の大きさを負荷５が使用する直流電圧に制御しながら、負荷５に供給する。なお、ＡＣ／ＤＣコンバータ１，ＤＣ／
ＤＣコンバータ７，ＤＣコンバータ３や充電器６，バッテリー４の各部分を図４や図５に示した実施例のように多重化できることは勿論である。また、充電器６やバッテリー４の部分を電源装置外に備える電源構成にしてもよい。図６の実施例では、ＤＣ／ＤＣコンバータ８の入力電圧を第１の直流電圧より低くできるので、多重化したＤＣ／ＤＣコンバータ８の保守交換がより安全に可能である。
【００１７】
図７に本発明の第６の実施例である電源装置を示す。図７において、図６と同一記号を付けたコンバータ等の回路構成要素は、図６と同一である。図７は、図６に示したＤＣ／ＤＣコンバータ８における複数の単位のＤＣ／ＤＣコンバータを、複数の群（単位ＤＣ／ＤＣコンバータ群）８ａ及び８ｂに分けている。単位ＤＣ／ＤＣコンバータ群８ａ及び８ｂは、それぞれ各群に属する複数の単位ＤＣ／ＤＣコンバータに共通した直流入力及び共通した直流出力を有する。単位ＤＣ／ＤＣコンバータ群８ａ及び８ｂの各々の共通した直流出力は共にＤＣ／ＤＣコンバータ７の直流出力に接続される。また、単位ＤＣ／ＤＣコンバータ群８ａ及び８ｂの各々の共通した直流出力は、負荷５を構成する独立した負荷部分である負荷５ａ及び５ｂにそれぞれ接続される。図７の実施例では、単位ＤＣ／ＤＣコンバータ群８ａ，８ｂの各々において複数の単位ＤＣ／ＤＣコンバータが並列多重化されている。従って、いずれの負荷についても、１つの単位ＤＣ／ＤＣコンバータが故障しても他の単位ＤＣ／ＤＣコンバータによって電力を供給し続けることができる。従って、高い信頼性で複数の負荷に電力を供給する電源装置が実現できる。
【００１８】
図８は本発明の第７の実施例である電源装置を示す。図８において、図６と同一記号を付けたコンバータ等の回路構成要素は、図６と同一である。図８の実施例では、図６に示したＤＣ／ＤＣコンバータ８として複数の単位ＤＣ／ＤＣコンバータ８ｃを備える。各単位ＤＣ／ＤＣコンバータ８ｃの直流入力はＤＣ／ＤＣコンバータ７の直流出力に接続される。各単位ＤＣ／ＤＣコンバータ８ｃの直流出力は、負荷５を構成する互いに独立した負荷部分に接続される。本実施例では、各単位ＤＣ／ＤＣコンバータ８ｃの出力電圧や出力電力を負荷に合わせて独立に調整することができる。従って、消費電力や使用電圧が異なる複数の負荷に対し、信頼性の高い電力供給を行うことができる電源装置を実現できる。
【００１９】
なお、第２〜第７の実施例の説明では、ＤＣコンバータ３は、電力変換をバッテリーからＤＣ／ＤＣコンバータ側への一方向とした単機能としている。しかし、ＤＣコンバータ３は、双方向への電力伝送を可能とするコンバータを利用して、充電器とともにバッテリーを充電してもよい。特に、図６の実施例では、双方向への電力伝送を可能とするＤＣコンバータを用い、交流入力の正常時は前段
ＤＣ／ＤＣコンバータ７から直流電力を得てバッテリー４を充電し、交流入力の停電時はバッテリー４から後段ＤＣ／ＤＣコンバータ８に直流電圧を供給する電源装置とすることも可能である。また、各回路構成要素の並列数や負荷部分の個数は、図に記載のもののみならず、任意でよい。
【００２０】
【発明の効果】
本発明によれば、高い信頼性で負荷に直流電力を供給できる電源装置を実現できる。
【図面の簡単な説明】
【図１】本発明の第１の実施例。
【図２】本発明の第２の実施例。
【図３】本発明の第２の実施例の詳細な構成。
【図４】本発明の第３の実施例。
【図５】本発明の第４の実施例。
【図６】本発明の第５の実施例。
【図７】本発明の第６の実施例。
【図８】本発明の第７の実施例。
【図９】ブリッジ型のコンバータの一例。
【図１０】１石フォワードコンバータの一例。
【符号の説明】
１，９…ＡＣ／ＤＣコンバータ、２，７，８，８ａ，８ｂ，８ｃ…ＤＣ／ＤＣコンバータ、３…ＤＣコンバータ、４…バッテリー、５，５ａ，５ｂ，５ｃ，
５ｄ…負荷、６…充電器、３２ａ，３２ｂ…コンバータ、３２ｃ…変圧器。
【図１】
2004064996.tif 000003
【図２】
2004064996.tif 000004
【図３】
2004064996.tif 000005
【図４】
2004064996.tif 000006
【図５】
2004064996.tif 000007
【図６】
2004064996.tif 000008
【図７】
2004064996.tif 000009
【図８】
2004064996.tif 000010
【図９】
2004064996.tif 000011
【図１０】
2004064996.tif 000012